(57)【要約】【課題】ユーザの嗜好に応じた商品の画像を感性語によって簡便且つ精度良く特定し、商品画像の情報がユーザによって直感的に理解されるように商品画像を表示する検索システム、サーバシステム、並びに検索システム及びサーバシステムの制御方法を提供する。【解決手段】クライアント端末において感性語データがユーザによって特定され（Ｓ１１）、サーバシステム１０に送られる（Ｓ１２）。サーバシステムでは、感性語データが受信され（Ｓ１３）、その感性語データに関連づけられた商品の物理量が取得され（Ｓ１４）、その商品の物理量に関連付けられている商品の画像データが取得され（Ｓ１５）、画像の表示態様を示す表示情報データが生成される（Ｓ１６）。商品の画像データ及び表示情報データはサーバシステムからクライアント端末に送信され（Ｓ１７、Ｓ１８）、クライアント端末では表示情報データに基づいて商品の画像データが表示される（Ｓ１９）。【選択図】図１７
2015162195.tif 000002
【特許請求の範囲】
【請求項１】
クライアント端末と、当該クライアント端末にネットワークを介して接続されるサーバシステムとを備える検索システムにおいて、
前記サーバシステムは、
前記ネットワークを介して前記クライアント端末から送信されるデータを受信するサーバ受信部と、
前記クライアント端末から前記ネットワークを介して前記サーバ受信部が受信した感性語データに関連付けられた商品の物理量を取得する物理量取得部と、
前記物理量取得部で取得された商品の物理量に関連付けられている商品の画像データを取得する画像検索部と、
前記画像検索部が取得した商品の画像データの表示態様を決定し、当該決定した表示態様を示す表示情報データを生成する画像整列部と、
前記画像検索部によって取得された商品の画像データと前記画像整列部によって生成された前記表示情報データとを、前記ネットワークを介して前記クライアント端末に送信するサーバ送信部と、を有し、
前記クライアント端末は、
表示部と、
ユーザが前記感性語データを特定するための端末入力部と、
前記端末入力部を介して特定された前記感性語データを、前記ネットワークを介して前記サーバシステムに送信する端末送信部と、
前記ネットワークを介して前記サーバシステムから送信される前記商品の画像データと前記表示情報データとを受信する端末受信部と、
前記端末受信部が受信した前記商品の画像データを、前記端末受信部が受信した前記表示情報データに応じて前記表示部に表示させる表示制御部と、を有する検索システム。
【請求項２】
前記サーバシステムは、
ユーザ識別データとユーザ属性データとを関連付けて記憶するユーザ情報データベースと、
前記ユーザ情報データベースにアクセスして、前記クライアント端末から前記ネットワークを介して受信したユーザ識別データに関連付けられている前記ユーザ属性データを取得するユーザ属性情報取得部と、
前記ユーザ属性データに応じて定められる複数の変換テーブルであって、商品の物理量と前記感性語データとが関連付けられた複数の変換テーブルを記憶する変換テーブルデータベースと、
前記変換テーブルデータベースにアクセスして、前記ユーザ属性情報取得部が取得した前記ユーザ属性データに関連付けられている変換テーブルを取得する変換テーブル取得部と、
商品の画像データと当該商品の物理量とを関連付けて記憶する画像データベースと、を更に有し、
前記端末入力部を介し、ユーザによってユーザ識別データ及び前記感性語データが特定され、
前記端末送信部は、前記端末入力部を介して特定された前記ユーザ識別データ及び前記感性語データを、前記ネットワークを介して前記サーバシステムに送信し、
前記物理量取得部は、前記変換テーブル取得部が取得した前記変換テーブルを参照して、前記サーバ受信部が受信した前記感性語データに関連付けられた商品の物理量を取得し、
前記画像検索部は、前記画像データベースにアクセスして、前記物理量取得部で取得された商品の物理量に関連付けられている商品の画像データを取得する請求項１に記載の検索システム。
【請求項３】
前記画像整列部は、前記画像検索部が取得した商品の画像データの表示態様を、当該商品の画像データが、当該商品の特性データに応じて表示されるものとして決定し、
前記表示情報データは、前記画像検索部が取得した商品の画像データが当該商品の特性データに応じて表示される表示態様を示す請求項１又は２に記載の検索システム。
【請求項４】
前記表示情報データは、前記画像検索部が取得した商品の画像データの少なくとも一部が、当該商品の特性データを表す座標系上に表示される表示態様を示す請求項３に記載の検索システム。
【請求項５】
前記商品の特性データは、当該商品の特性のうち、ユーザが前記端末入力部を介して特定した前記感性語データとは異なる特性に基づいて定められている請求項３又は４に記載の検索システム。
【請求項６】
前記商品の特性データは、当該商品の価格及び当該商品のサイズのうち少なくともいずれか一方のデータに基づいて定められている請求項３〜５のいずれか一項に記載の検索システム。
【請求項７】
前記商品の物理量は、当該商品の色、当該商品の柄、当該商品の質感及び当該商品の形のうち少なくともいずれか一つに基づいて定められている請求項１〜６のいずれか一項に記載の検索システム。
【請求項８】
前記ユーザ属性データは、ユーザの性別、年齢、人種、国籍、宗教及び宗派のうち少なくともいずれか一つに基づいて定められている請求項２に記載の検索システム。
【請求項９】
前記表示制御部は、複数の感性語を前記表示部に表示させ、
前記端末入力部は、ユーザからの指示を受け付けて前記表示部に表示される前記複数の感性語のうちの少なくとも一つを特定し、特定された当該感性語を前記感性語データとして特定する請求項１〜８のいずれか一項に記載の検索システム。
【請求項１０】
前記商品の画像データは、当該商品を撮影して取得される請求項１〜９のいずれか一項に記載の検索システム。
【請求項１１】
前記商品の画像データには、当該商品の物理量を示すメタデータが付加されており、
前記画像検索部は、前記物理量取得部で取得された商品の物理量を示すメタデータが付加された商品の画像データを、前記物理量取得部で取得された商品の物理量に関連付けられている商品の画像データとして取得する請求項１〜１０のいずれか一項に記載の検索システム。
【請求項１２】
前記商品の画像データに関連付けられる前記商品の物理量は、前記商品の画像データを解析することで取得される請求項１〜１１のいずれか一項に記載の検索システム。
【請求項１３】
前記サーバシステムは、前記商品の画像データを解析して当該商品の物理量を取得する画像解析部であって、取得した商品の物理量を商品の画像データと関連付けて前記画像データベースに記憶する画像解析部を更に有する請求項２に記載の検索システム。
【請求項１４】
ネットワークを介してクライアント端末に接続されるサーバシステムであって、
前記ネットワークを介して前記クライアント端末から送信されるデータを受信するサーバ受信部と、
前記クライアント端末から前記ネットワークを介して前記サーバ受信部が受信した感性語データに関連付けられた商品の物理量を取得する物理量取得部と、
前記物理量取得部で取得された商品の物理量に関連付けられている商品の画像データを取得する画像検索部と、
前記画像検索部が取得した商品の画像データの表示態様を決定し、当該決定した表示態様を示す表示情報データを生成する画像整列部と、
前記画像検索部によって取得された商品の画像データと前記画像整列部によって生成された前記表示情報データとを、前記ネットワークを介して前記クライアント端末に送信するサーバ送信部と、を備えるサーバシステム。
【請求項１５】
クライアント端末と、当該クライアント端末にネットワークを介して接続されるサーバシステムとを備える検索システムの制御方法において、
前記サーバシステムにおいて、
サーバ受信部によって、前記ネットワークを介して前記クライアント端末から送信されるデータを受信し、
物理量取得部によって、前記クライアント端末から前記ネットワークを介して前記サーバ受信部が受信した感性語データに関連付けられた商品の物理量を取得し、
画像検索部によって、前記物理量取得部で取得された商品の物理量に関連付けられている商品の画像データを取得し、
画像整列部によって、前記画像検索部が取得した商品の画像データの表示態様を決定し、当該決定した表示態様を示す表示情報データを生成し、
サーバ送信部によって、前記画像検索部によって取得された商品の画像データと前記画像整列部によって生成された前記表示情報データとを、前記ネットワークを介して前記クライアント端末に送信し、
前記クライアント端末において、
端末送信部によって、端末入力部を介してユーザが特定した前記感性語データを、前記ネットワークを介して前記サーバシステムに送信し、
端末受信部によって、前記ネットワークを介して前記サーバシステムから送信される前記商品の画像データと前記表示情報データとを受信し、
表示制御部によって、前記端末受信部が受信した前記商品の画像データを、前記端末受信部が受信した前記表示情報データに応じて表示部に表示させる検索システムの制御方法。
【請求項１６】
ネットワークを介してクライアント端末に接続されるサーバシステムの制御方法であって、
サーバ受信部によって、前記ネットワークを介して前記クライアント端末から送信されるデータを受信し、
物理量取得部によって、前記クライアント端末から前記ネットワークを介して前記サーバ受信部が受信した感性語データに関連付けられた商品の物理量を取得し、
画像検索部によって、前記物理量取得部で取得された商品の物理量に関連付けられている商品の画像データを取得し、
画像整列部によって、前記画像検索部が取得した商品の画像データの表示態様を決定し、当該決定した表示態様を示す表示情報データを生成し、
サーバ送信部によって、前記画像検索部によって取得された商品の画像データと前記画像整列部によって生成された前記表示情報データとを、前記ネットワークを介して前記クライアント端末に送信するサーバシステムの制御方法。
【発明の詳細な説明】
【技術分野】
【０００１】
本発明は検索システム、サーバシステム、並びに検索システム及びサーバシステムの制御方法に係り、特に感性語を使った検索技術に関する。
【背景技術】
【０００２】
インターネット上におけるＥＣ（Ｅｌｅｃｔｒｏｎｉｃ  Ｃｏｍｍｅｒｃｅ）サイトで洋服等の商品を検索する場合、一般に、価格、サイズ、色等を指定することにより、商品の絞り込みを行うことができる。例えば、ユーザがウェブページ上で所望の洋服の色を指定すると、その指定された色に関連する洋服画像の一覧が表示され、ユーザは表示された洋服画像の一覧の中から所望の洋服画像を選択することで、選択された画像の洋服を購入することができる。
【０００３】
しかしながらＥＣサイト上でユーザが選択可能な色は限られており、ユーザが希望する厳密な色を指定できない場合がある。またユーザは、現実の商店等における購買時には漠然とした印象に基づいて商品を選ぶことも多いため、商品の購買を促す観点からは特定の色に基づく商品検索は必ずしも好ましくない。
【０００４】
このように色等による商品画像の検索では、ユーザが実際に希望する色や印象に合致する商品を検索結果において必ずしも提示することができない場合がある。そのため、色以外の他の情報に基づく様々な検索技術が提案されている。
【０００５】
特許文献１は、商品の付加情報をユーザ毎に変化させて効果的なプレゼンテーションを行うことを可能にする商品情報通知システムを開示する。この商品情報通知システムでは、各商品の基本情報（商品名、サイズ、色、メーカ名など）を格納する商品情報データベースから、ユーザが参照しようとしている商品群の基本情報が選択され、選択された基本情報がユーザに提供される。また、ユーザのプロフィール情報に基づいて対応する付加情報が付加情報データベースから選択され、選択された付加情報がユーザに提供される。
【０００６】
特許文献２は、感性語を含むキーワードを用いた検索を行う画像検索装置を開示する。この画像検索装置では、取得されたキーワードが名詞と感性語とに分割され、検索に使用すべき特徴量が名詞と感性語との組み合わせに基づいて感性語・名詞−特徴量データベースから取得され、取得された特徴量が用いられて画像が検索される。
【先行技術文献】
【特許文献】
【０００７】
【特許文献１】特開２００２−１５７２６８号公報
【特許文献２】特開２０１１−０６５４９９号公報
【発明の概要】
【発明が解決しようとする課題】
【０００８】
ユーザ（顧客）が簡単に所望の商品を検索するための手段として、感性語を検索ワードとして使用する手法が有効である。しかしながら感性語によって表される印象は、ユーザ間で異なるだけではなく、時期によっても変わり易い。すなわち、同じ感性語であっても連想される商品はユーザによって異なることがあり、また特定のユーザであっても時間の経過と共に嗜好が変化して同じ感性語から連想される商品が異なることがある。
【０００９】
そのため、感性語をキーワードとした直感的な検索技術によって高精度な商品検索を実現し、検索された複数の候補商品の画像をユーザに適切に提示することで、ＥＣサイトにおける商品検索の総合的な利便性を向上させて、最終的には商品の売り上げの増加に繋げることが望ましい。
【００１０】
したがってＥＣサイトを訪れたユーザが所望の商品を簡単に見つけ出すことができ、より確実にユーザを購買決断に至らせることができる新たな技術が望まれている。より具体的には「ユーザによる感性語の検索キーワードの入力」から「検索結果の表示」までの一連の検索アクションに関し、ユーザが感性語による検索の結果を見て即座に購買決断することを可能にする新たな検索システム等の提案が望まれている。
【００１１】
しかしながら感性語による商品検索技術に関し、そのような一連の検索アクションに関する技術は従来提案されていない。
【００１２】
例えば特許文献１の商品情報通知システムは、商品の付加情報をユーザ毎に変化させて効果的なプレゼンテーションを行うことを目的としているが、この商品情報通知システムでは感性語による検索は行われない。またこの商品情報通知システムでは、検索結果の表示等に関して、ユーザが所望の商品を簡便に見つけ出すための工夫は一切なされていない。
【００１３】
また特許文献２の画像検索装置は感性語による検索技術を採用するが、特許文献１の商品情報通知システムと同様に、検索結果の表示等に関して、ユーザが所望の商品を簡便に見つけ出すための工夫は一切なされていない。
【００１４】
本発明は上述の事情に鑑みてなされたものであり、ユーザの嗜好に応じた複数の商品の画像を感性語によって簡便且つ精度良く特定し、その複数の商品画像同士の関係がユーザによって直感的に理解されるように商品画像を表示するための技術を提供することを目的とする。
【課題を解決するための手段】
【００１５】
本発明の一態様は、クライアント端末と、クライアント端末にネットワークを介して接続されるサーバシステムとを備える検索システムにおいて、サーバシステムは、ネットワークを介してクライアント端末から送信されるデータを受信するサーバ受信部と、クライアント端末からネットワークを介してサーバ受信部が受信した感性語データに関連付けられた商品の物理量を取得する物理量取得部と、物理量取得部で取得された商品の物理量に関連付けられている商品の画像データを取得する画像検索部と、画像検索部が取得した商品の画像データの表示態様を決定し、決定した表示態様を示す表示情報データを生成する画像整列部と、画像検索部によって取得された商品の画像データと画像整列部によって生成された表示情報データとを、ネットワークを介してクライアント端末に送信するサーバ送信部と、を有し、クライアント端末は、表示部と、ユーザが感性語データを特定するための端末入力部と、端末入力部を介して特定された感性語データを、ネットワークを介してサーバシステムに送信する端末送信部と、ネットワークを介してサーバシステムから送信される商品の画像データと表示情報データとを受信する端末受信部と、端末受信部が受信した商品の画像データを、端末受信部が受信した表示情報データに応じて表示部に表示させる表示制御部と、を有する検索システムに関する。
【００１６】
本態様によれば、ユーザが特定する感性語データに関連付けられた商品の物理量に基づいて商品の画像データが取得され、ユーザの嗜好に応じた商品の画像を感性語によって簡便且つ精度良く特定することができる。また、表示情報データに応じて商品の画像データが表示されるため、検索によって取得された商品画像の情報がユーザによって直感的に理解されるように商品画像を表示することが可能である。
【００１７】
望ましくは、サーバシステムは、ユーザ識別データとユーザ属性データとを関連付けて記憶するユーザ情報データベースと、ユーザ情報データベースにアクセスして、クライアント端末からネットワークを介して受信したユーザ識別データに関連付けられているユーザ属性データを取得するユーザ属性情報取得部と、ユーザ属性データに応じて定められる複数の変換テーブルであって、商品の物理量と感性語データとが関連付けられた複数の変換テーブルを記憶する変換テーブルデータベースと、変換テーブルデータベースにアクセスして、ユーザ属性情報取得部が取得したユーザ属性データに関連付けられている変換テーブルを取得する変換テーブル取得部と、商品の画像データと商品の物理量とを関連付けて記憶する画像データベースと、を更に有し、端末入力部を介し、ユーザによってユーザ識別データ及び感性語データが特定され、端末送信部は、端末入力部を介して特定されたユーザ識別データ及び感性語データを、ネットワークを介してサーバシステムに送信し、物理量取得部は、変換テーブル取得部が取得した変換テーブルを参照して、サーバ受信部が受信した感性語データに関連付けられた商品の物理量を取得し、画像検索部は、画像データベースにアクセスして、物理量取得部で取得された商品の物理量に関連付けられている商品の画像データを取得する。
【００１８】
本態様によれば、ユーザ属性データに応じて取得された変換テーブルが参照されて商品の物理量が取得されるため、商品の画像データの取得がユーザの属性に応じて行われる。
【００１９】
望ましくは、画像整列部は、画像検索部が取得した商品の画像データの表示態様を、商品の画像データが、商品の特性データに応じて表示されるものとして決定し、表示情報データは、画像検索部が取得した商品の画像データが商品の特性データに応じて表示される表示態様を示す。
【００２０】
本態様によれば、画像検索部が取得した商品の画像データが商品の特性データに応じて表示されるため、ユーザは商品画像同士の関係を商品特性に応じて直感的に理解することができる。
【００２１】
望ましくは、表示情報データは、画像検索部が取得した商品の画像データの少なくとも一部が、商品の特性データを表す座標系上に表示される表示態様を示す。
【００２２】
本態様によれば、商品の特性データを表す座標系上に商品の画像データの少なくとも一部が表示されるため、ユーザは座標系における商品画像同士の関係を直感的に理解することができる。
【００２３】
望ましくは、商品の特性データは、商品の特性のうち、ユーザが端末入力部を介して特定した感性語データとは異なる特性に基づいて定められている。
【００２４】
本態様によれば、ユーザが特定した感性語データとは異なる特性に基づいて商品の画像データが表示される。ここでいう「ユーザが端末入力部を介して特定した感性語データとは異なる特性」は、感性語に基づく商品特性であってもよいし、感性語に基づかない商品特性であってもよい。
【００２５】
望ましくは、商品の特性データは、商品の価格及び商品のサイズのうち少なくともいずれか一方のデータに基づいて定められている。
【００２６】
この場合、ユーザは、商品の価格及び商品のサイズのうち少なくともいずれか一方に関し、画像表示される商品を直感的に理解することができる。
【００２７】
望ましくは、商品の物理量は、商品の色、商品の柄、商品の質感及び商品の形のうち少なくともいずれか一つに基づいて定められている。
【００２８】
本態様によれば、商品の色、商品の柄、商品の質感及び商品の形のうち少なくともいずれか一つに基づいて、商品の画像データを取得することができる。
【００２９】
望ましくは、ユーザ属性データは、ユーザの性別、年齢、人種、国籍、宗教及び宗派のうち少なくともいずれか一つに基づいて定められている。
【００３０】
本態様によれば、ユーザの性別、年齢、人種、国籍、宗教及び宗派のうち少なくともいずれか一つに基づく変換テーブルが参照されて「感性語データに関連付けられた商品の物理量」を取得することができる。
【００３１】
望ましくは、表示制御部は、複数の感性語を表示部に表示させ、端末入力部は、ユーザからの指示を受け付けて表示部に表示される複数の感性語のうちの少なくとも一つを特定し、特定された感性語を感性語データとして特定する。
【００３２】
本態様によれば、ユーザが表示部に表示される複数の感性語のうち少なくとも一つを特定することで、感性語データを定めることができるため、非常に利便性が高い。
【００３３】
望ましくは、商品の画像データは、商品を撮影して取得される。
【００３４】
本態様によれば、実際の商品を撮影して得られる適切な商品の画像データが使用される。
【００３５】
望ましくは、商品の画像データには、商品の物理量を示すメタデータが付加されており、画像検索部は、物理量取得部で取得された商品の物理量を示すメタデータが付加された商品の画像データを、物理量取得部で取得された商品の物理量に関連付けられている商品の画像データとして取得する。
【００３６】
本態様によれば、メタデータに基づいて、商品の物理量に関連付けられている商品の画像データを簡便に取得することができる。
【００３７】
望ましくは、商品の画像データに関連付けられる商品の物理量は、商品の画像データを解析することで取得される。
【００３８】
本態様によれば、画像解析によって商品の物理量が取得される。
【００３９】
望ましくは、サーバシステムは、商品の画像データを解析して商品の物理量を取得する画像解析部であって、取得した商品の物理量を商品の画像データと関連付けて画像データベースに記憶する画像解析部を更に有する。
【００４０】
本態様によれば、画像解析部による画像データの解析によって商品の物理量が取得される。
【００４１】
本発明の他の態様は、ネットワークを介してクライアント端末に接続されるサーバシステムであって、ネットワークを介してクライアント端末から送信されるデータを受信するサーバ受信部と、クライアント端末からネットワークを介してサーバ受信部が受信した感性語データに関連付けられた商品の物理量を取得する物理量取得部と、物理量取得部で取得された商品の物理量に関連付けられている商品の画像データを取得する画像検索部と、画像検索部が取得した商品の画像データの表示態様を決定し、決定した表示態様を示す表示情報データを生成する画像整列部と、画像検索部によって取得された商品の画像データと画像整列部によって生成された表示情報データとを、ネットワークを介してクライアント端末に送信するサーバ送信部と、を備えるサーバシステムに関する。
【００４２】
本発明の他の態様は、クライアント端末と、クライアント端末にネットワークを介して接続されるサーバシステムとを備える検索システムの制御方法において、サーバシステムにおいて、サーバ受信部によって、ネットワークを介してクライアント端末から送信されるデータを受信し、物理量取得部によって、クライアント端末からネットワークを介してサーバ受信部が受信した感性語データに関連付けられた商品の物理量を取得し、画像検索部によって、物理量取得部で取得された商品の物理量に関連付けられている商品の画像データを取得し、画像整列部によって、画像検索部が取得した商品の画像データの表示態様を決定し、決定した表示態様を示す表示情報データを生成し、サーバ送信部によって、画像検索部によって取得された商品の画像データと画像整列部によって生成された表示情報データとを、ネットワークを介してクライアント端末に送信し、クライアント端末において、端末送信部によって、端末入力部を介してユーザが特定した感性語データを、ネットワークを介してサーバシステムに送信し、端末受信部によって、ネットワークを介してサーバシステムから送信される商品の画像データと表示情報データとを受信し、表示制御部によって、端末受信部が受信した商品の画像データを、端末受信部が受信した表示情報データに応じて表示部に表示させる検索システムの制御方法に関する。
【００４３】
本発明の他の態様は、ネットワークを介してクライアント端末に接続されるサーバシステムの制御方法であって、サーバ受信部によって、ネットワークを介してクライアント端末から送信されるデータを受信し、物理量取得部によって、クライアント端末からネットワークを介してサーバ受信部が受信した感性語データに関連付けられた商品の物理量を取得し、画像検索部によって、物理量取得部で取得された商品の物理量に関連付けられている商品の画像データを取得し、画像整列部によって、画像検索部が取得した商品の画像データの表示態様を決定し、決定した表示態様を示す表示情報データを生成し、サーバ送信部によって、画像検索部によって取得された商品の画像データと画像整列部によって生成された表示情報データとを、ネットワークを介してクライアント端末に送信するサーバシステムの制御方法に関する。
【発明の効果】
【００４４】
本発明によれば、ユーザが特定する感性語データに関連付けられた商品の物理量に基づいて商品の画像データが取得され、商品の画像データの表示態様を示す表示情報データに応じて商品の画像データが表示される。したがって、ユーザの嗜好に応じた商品の画像を感性語によって簡便且つ精度良く特定することができ、ユーザは商品の情報を直感的に理解することができる。
【図面の簡単な説明】
【００４５】
【図１】検索システムの概念図である。
【図２】クライアント端末の機能構成例を示すブロック図である。
【図３】クライアント端末の表示部に表示されるユーザ識別データの入力画面の一例を示す。
【図４】複数の感性語（検索ワードの候補）が表示されるクライアント端末の表示部の一例を示す。
【図５】サーバシステムの機能構成例を示すブロック図である。
【図６】ユーザ情報データベースに保存されるユーザ識別データ及びユーザ属性データの対応関係を示すデータ構造概念図である。
【図７】ユーザ属性データの構成データ例を示すデータ構造概念図である。
【図８】変換テーブルデータベースに保存されるユーザ属性データ及び変換テーブルの対応関係を示すデータ構造概念図である。
【図９】変換テーブルの構成データ例を示すデータ構造概念図である。
【図１０】変換テーブルによって規定される感性語データ（感性空間）及び物理量データ（物理計測空間）の関係を示す概念図である。
【図１１】画像データベースに保存される画像データ及びメタデータの対応関係を示すデータ構造概念図である。
【図１２】メタデータの構成データ例を示すデータ構造概念図である。
【図１３】画像検索部が取得した商品の画像データの表示態様例を示す。
【図１４】サーバシステムの機能構成例を示すブロック図であり、サーバシステムの機能構成が複数のサーバによって実現されるケースを示す図である。
【図１５】サーバシステム及びクライアント端末が一国内（Ａ国）に存在する場合の検索システムの一例を示す概念図である。
【図１６】サーバシステム及びクライアント端末が複数国（Ａ国〜Ｄ国）に跨がって存在する場合の検索システムの一例を示す概念図である。
【図１７】検索処理及び検索結果表示処理のフローチャートである。
【図１８】スマートフォンの外観を示す図である。
【図１９】図１８に示すスマートフォンの構成を示すブロック図である。
【発明を実施するための形態】
【００４６】
図面を参照して本発明の一実施形態について説明する。以下の実施形態では「洋服」を商品として検索対象とする例について説明するが、これに限定されず、他の任意の商品を検索する場合にも本発明を応用することが可能である。
【００４７】
図１は、検索システム１の概念図である。本実施形態に係る検索システム１は、クライアント端末１１と、インターネット等のネットワーク１２を介して各クライアント端末１１に接続されるサーバシステム１０とを備える。
【００４８】
クライアント端末１１は、ユーザが洋服等の商品を検索する際に操作する端末であり、例えばスマートフォン、タブレットデバイス等のポータブル端末やパソコンなどの形態をとりうる。
【００４９】
サーバシステム１０は、ネットワーク１２を介してクライアント端末１１から送られてくる指令に応じて商品検索を行い、検索結果をネットワーク１２を介してクライアント端末１１に返す。
【００５０】
この検索システム１において、まずクライアント端末１１の機能構成について説明する。
【００５１】
図２は、クライアント端末１１の機能構成例を示すブロック図である。
【００５２】
本例のクライアント端末１１は、端末入力部２０、端末外部入出力部２３（端末送信部２１及び端末受信部２２）、表示制御部２５、表示部２７及び端末システムコントローラ２８を有する。
【００５３】
端末入力部２０は、ユーザＩＤ、パスワード、検索ワード（検索基礎情報）等のデータ類を入力するためにユーザによって直接的に操作される操作部と、操作部を介して入力されたユーザＩＤ、パスワード、検索基礎情報等のデータ類を特定する情報特定部とを含む。
【００５４】
ユーザＩＤ及びパスワードはクライアント端末１１を操作するユーザを特定するためのデータであり、以下、ユーザＩＤ及びパスワードのいずれか一方又は両者の組み合わせを「ユーザ識別データＤ１」とも呼ぶ。「検索ワード（検索基礎情報）」はユーザが希望する商品の特徴を表す用語であり、本実施形態では感性語データＤ２が検索ワードとして用いられる。感性語データＤ２は、感覚的な用語（感性語）を表すデータであり、検索ワードとしての感性語データＤ２は、ユーザが検索商品に期待する印象を表す。
【００５５】
例えばクライアント端末１１がスマートフォン等のポータブル端末の場合、クライアント端末１１に設けられたボタン類やタッチパネルを操作部として利用することが可能であり、情報特定部はこの操作部によって選択された感性語データを特定する。ユーザは、操作部を介して任意の手法でデータ類を入力可能であり、データ類を直接的に入力してもよいし、表示部２７に表示される複数の候補の中から１以上の所望のデータ類を選択することで入力してもよい。
【００５６】
図３は、クライアント端末１１の表示部２７に表示されるユーザ識別データＤ１の入力画面の一例を示す。本例では、表示部２７に設けられたタッチパネルをユーザ操作部（端末入力部２０）とするポータブル端末をクライアント端末１１とする。
【００５７】
ユーザは、適正なユーザであることの認証のため、ユーザ毎に設定されるユーザＩＤ及びパスワードをクライアント端末１１に入力する。図３に示す例では、表示部２７にユーザＩＤデータ入力欄５０、パスワード入力欄５１及びソフトウエアキーボード５２が表示される。ユーザＩＤデータ入力欄５０は、ユーザがユーザＩＤを入力する欄であり、パスワード入力欄５１は、ユーザがパスワードを入力する欄である。ユーザはソフトウエアキーボード５２を使って、割り当てられているユーザＩＤをユーザＩＤデータ入力欄５０に入力し、パスワードをパスワード入力欄５１に入力する。
【００５８】
ソフトウエアキーボード５２は、表示部２７に表示される任意の文字パレット及びタッチパネル（表示部２７）によって構成され、タッチパネルのうち表示部２７に表示された各文字パレットに対応する箇所をユーザがタッチすることで、タッチ位置に対応する文字等がユーザＩＤデータ入力欄５０又はパスワード入力欄５１に入力される。ソフトウエアキーボード５２として表示部２７に表示される文字パレットは特に限定されず、ひらがな、アルファベット、数字、記号等の入力用文字だけではなく、スペースキー、エンターキー、デリートキー、表示切り換えキー等のファンクションキーもソフトウエアキーボード５２として表示部２７に表示可能である。
【００５９】
例えばユーザＩＤデータ入力欄５０に対応する位置のタッチパネル（表示部２７）がユーザによってタッチされることでクライアント端末１１はユーザＩＤ入力モードに移行し、ユーザはソフトウエアキーボード５２を使ってユーザＩＤをユーザＩＤデータ入力欄５０に入力することができる。同様に、例えばパスワード入力欄５１に対応する位置のタッチパネルがユーザによってタッチされることでクライアント端末１１はパスワード入力モードに移行し、ユーザはソフトウエアキーボード５２を使ってパスワードをパスワード入力欄５１に入力することができる。ユーザ識別データ及びパスワードが入力された状態でソフトウエアキーボード５２のエンターキーに対応する位置をユーザがタッチすることで認証処理が行われ、認証の結果、ユーザ識別データ及びパスワードが適正な場合には表示部２７の表示は検索処理画面に移行する。
【００６０】
図４は、複数の感性語（検索ワードの候補）が表示されるクライアント端末１１の表示部２７の一例を示す。
【００６１】
本例の端末入力部２０（タッチパネル）は、ユーザからの指示を受け付けて、その指示に応じて表示部２７に表示される複数の感性語のうちの少なくとも一つを特定し、特定された感性語を示す感性語データＤ２を「端末入力部２０を介して入力された感性語データＤ２」として特定する。より具体的には、検索ワードの候補となる複数の感性語が表示部２７に表示され、タッチパネル（表示部２７）のうち表示部２７に表示された複数の感性語のうちのいずれかに対応する箇所をユーザがタッチすることで、タッチ位置に対応する感性語が検索ワードとして入力される。
【００６２】
表示部２７における複数の感性語の表示態様は特に限定されず、複数の感性語が表示部２７において所定のルールに従って整然と並べられて表示されてもよいし、ランダムに表示されてもよい。また表示部２７における複数の感性語の表示を所謂「タグクラウド」表示としてもよく、表示部２７における感性語の表示サイズを相互に異ならせてもよい。図４の例では「かわいい」という感性語が一番大きく表示され、その次に「カジュアル」及び「ゴージャス」という感性語が大きく表示され、その次に「シック」、「ナチュラル」及び「エレガント」という感性語が大きく表示され、「フォーマル」という感性語が一番小さく表示されている。
【００６３】
表示部２７に表示される複数の感性語は、予め定められていてもよいし、検索処理毎に変えられてもよい。また表示部２７に表示される複数の感性語データは、クライアント端末１１内に予め記憶されていてもよいし、サーバシステム１０からクライアント端末１１（表示制御部２５（図２参照））に送られてきてもよい。この場合、表示制御部２５は、検索処理毎にサーバシステム１０から端末外部入出力部２３（端末受信部２２）を介して送られてくる感性語データに基づいて、タグクラウド状に検索ワードの候補（複数の感性語）を表示部２７に表示させてもよい。またサーバシステム１０からクライアント端末１１に送られてくる複数の感性語データは特に限定されず、例えばサーバシステム１０における検索処理で検索ワードとして指定された頻度や、ユーザの属性等に応じて変えられてもよい。
【００６４】
端末送信部２１（図２参照）は、端末入力部２０を介してユーザにより特定されたユーザ識別データＤ１、感性語データＤ２（検索ワード）等のデータ類を、ネットワーク１２（図１参照）を介してサーバシステム１０に送信する。また端末受信部２２は、ネットワーク１２を介してサーバシステム１０から送信される後述の「検索結果データＤ５（商品の画像データ）」、「表示情報データＤ６」等のデータ類を受信する。これらの端末送信部２１及び端末受信部２２によって端末外部入出力部２３が構成され、端末送信部２１及び端末受信部２２は同一の機器類によって構成されてもよい。
【００６５】
表示制御部２５は表示部２７を制御して表示部２７の表示全般をコントロールし、例えば表示部２７におけるユーザ識別データＤ１の指定モード（ユーザＩＤ入力モード及びパスワード入力モード）の画面表示（図３参照）及び感性語データＤ２（検索ワード）の指定モードの画面表示（図４参照）に切り換える。また表示制御部２５は、端末受信部２２が受信した商品の画像データを、端末受信部２２が受信した表示情報データに応じて表示部２７に表示させる。
【００６６】
端末システムコントローラ２８（図２参照）は、端末外部入出力部２３（端末送信部２１及び端末受信部２２）、端末入力部２０及び表示制御部２５を制御して上述の処理或いは他の処理を各部に実行させ、またクライアント端末１１の図示しない各部も制御する。例えばユーザ認証処理（図３参照）では、端末システムコントローラ２８が端末入力部２０及び端末外部入出力部２３を制御し、ユーザにより端末入力部２０を介して入力されたユーザ識別データＤ１を端末送信部２１及びネットワーク１２を介してサーバシステム１０に送信する。また端末システムコントローラ２８が端末入力部２０、端末受信部２２及び表示制御部２５を制御し、サーバシステム１０から送信されるユーザ認証の結果、検索ワードの候補（複数の感性語データ）（図４参照）、検索結果データＤ５、表示情報データＤ６等を受信し、表示部２７におけるユーザ認証の適否の表示、検索ワードのタグクラウド表示（図４参照）、検索された商品画像６６の表示（図１３参照）等が行われる。
【００６７】
このようにユーザは、上述の構成を有するクライアント端末１１を操作して商品検索を行う場合、ユーザ識別データＤ１（ユーザＩＤ及びパスワード）及び感性語データＤ２（検索ワード）を、端末入力部２０（タッチパネル）を使って入力する。端末入力部２０を介してユーザにより入力されて特定されるユーザ識別データＤ１及び感性語データＤ２は、端末入力部２０から端末送信部２１に送信され、端末送信部２１によりネットワーク１２を介してサーバシステム１０に送信される。
【００６８】
次に、サーバシステム１０の機能構成について説明する。
【００６９】
図５は、サーバシステム１０の機能構成例を示すブロック図である。
【００７０】
本例のサーバシステム１０は、サーバ外部入出力部３３（サーバ送信部３１及びサーバ受信部３２）、ユーザ属性情報取得部３５、変換テーブル取得部３７、物理量取得部３９、画像検索部４１、画像整列部４３、画像解析部４５、ユーザ情報データベース３６、変換テーブルデータベース３８、画像データベース４２及びサーバシステムコントローラ４８を有する。
【００７１】
サーバ受信部３２は、ネットワーク１２を介してクライアント端末１１から送信されるユーザ識別データＤ１、感性語データＤ２（検索ワード）等のデータ類を受信し、ユーザ識別データＤ１をユーザ属性情報取得部３５に送信し、感性語データＤ２を物理量取得部３９に送信する。
【００７２】
ユーザ属性情報取得部３５は、ユーザ情報データベース３６にアクセスして、ネットワーク１２及びサーバ受信部３２を介してクライアント端末１１から受信したユーザ識別データＤ１に関連づけられているユーザ属性データＤ３を取得する。
【００７３】
図６は、ユーザ情報データベース３６に保存されるユーザ識別データＤ１及びユーザ属性データＤ３の対応関係を示すデータ構造概念図である。図７は、ユーザ属性データＤ３の構成データ例を示すデータ構造概念図である。
【００７４】
ユーザ情報データベース３６は、ユーザ識別データＤ１とユーザ属性データＤ３とを関連付けて記憶する。ユーザ情報データベース３６にはユーザ識別データＤ１毎にユーザ属性データＤ３が関連付けられた状態で記憶されているため、ユーザ識別データＤ１が決まれば、対応のユーザ属性データＤ３が定まる。ユーザ属性データＤ３は、ユーザの属性を表すデータであれば特に限定されず、例えばユーザの性別データｄ１、年齢データｄ２、人種データｄ３、国籍データｄ４、宗教データｄ５及び宗派ｄ６データのうち少なくともいずれか一つに基づくデータを、ユーザ属性データＤ３としうる。
【００７５】
ユーザ情報データベース３６に記憶されるユーザ属性データＤ３はユーザによって予め特定されており、ユーザにより特定されたユーザ属性データＤ３は、そのユーザに割り当てられたユーザ識別データＤ１（ユーザＩＤ）と関連付けられてユーザ情報データベース３６に保存される。例えばユーザが検索システム１を初めて利用する際に、パスワード等のユーザ識別データＤ１と共にユーザ属性データＤ３をクライアント端末１１（端末入力部２０）に入力してもよい。この場合、入力されたユーザ識別データＤ１及びユーザ属性データＤ３は、クライアント端末１１（端末送信部２１）からサーバシステム１０（サーバ受信部３２）に送信され、サーバシステムコントローラ４８の制御下で、相互に関連付けられてユーザ情報データベース３６に記憶される。
【００７６】
変換テーブル取得部３７（図５参照）は、変換テーブルデータベース３８にアクセスして、ユーザ属性情報取得部３５が取得したユーザ属性データＤ３に関連付けられている変換テーブルＴを取得する。
【００７７】
図８は、変換テーブルデータベース３８に保存されるユーザ属性データＤ３及び変換テーブルＴの対応関係を示すデータ構造概念図である。図９は、変換テーブルＴの構成データ例を示すデータ構造概念図である。
【００７８】
変換テーブルＴはユーザ属性データＤ３に応じて定められ、変換テーブルデータベース３８にはユーザ属性データＤ３と変換テーブルＴとが関連付けられた状態で記憶されているため、ユーザ属性データＤ３が決まれば、対応の変換テーブルＴが定まる。変換テーブルデータベース３８に記憶されるこれらの複数の変換テーブルＴの各々は、商品の物理量（物理量データＤ４）と感性語データＤ２とを関連付けており、感性語データＤ２が決まれば、対応の物理量データＤ４も決まる。
【００７９】
「商品の物理量（物理量データＤ４）」は、商品の物理的な特性を表すデータであれば特に限定されず、例えば商品の色（例えば代表色）、商品の柄（例えば代表柄）、商品の質感及び商品の形のうち少なくともいずれか一つに基づくデータを物理量データＤ４としうる。
【００８０】
本例の物理量取得部３９（図５参照）は、変換テーブル取得部３７が取得した変換テーブルＴを参照して、クライアント端末１１からネットワーク１２を介してサーバ受信部３２が受信した感性語データＤ２（検索ワード）に関連付けられた商品の物理量（物理量データＤ４）を取得する。上述のように変換テーブル取得部３７が取得する変換テーブルＴはユーザ属性データＤ３に応じて決定されるため、物理量取得部３９で取得される物理量データＤ４もユーザ属性データＤ３に応じて変動しうる。
【００８１】
図１０は、変換テーブルＴによって規定される感性語データＤ２（感性空間８０）及び物理量データＤ４（物理計測空間８２）の関係を示す概念図である。
【００８２】
変換テーブルＴは、感性空間８０における領域（以下「感性領域８４」と表記する）に対応する物理計測空間８２における領域（以下「物理量領域８６」と表記する）を規定する。すなわち、感性空間８０において感性語データＤ２毎に割り当てられる感性領域８４が存在すると仮定すると、各感性領域８４に関し、物理計測空間８２において対応する物理量領域８６（物理量データＤ４）が存在する。図１０に示す例では、ある感性語データＤ２が感性領域８４ａを占める場合、色特徴量、柄特徴量及び質感特徴量に関する物理計測空間８２における特定の物理量領域８６（物理量データＤ４）がその感性領域８４ａに対応付けられている（図１０の斜線部参照）。
【００８３】
変換テーブルＴは、この「感性空間８０において表される感性語データＤ２の感性領域８４と、物理計測空間８２において表される物理量データＤ４の物理量領域８６との関連付け」を規定しており、感性空間８０上のデータを物理計測空間８２上のデータに変換するために使用される。
【００８４】
本実施形態ではユーザ属性データＤ３毎に変換テーブルＴが準備されており、ユーザ属性データＤ３が異なる場合には、異なる基準で定められた変換テーブルＴが使用され、同じ感性語であっても感性空間８０における感性領域８４の具体的な位置が異なる。すなわち同じ感性語であっても、感性語から連想される商品の物理量（色、柄、質感、形等）は、属性の異なるユーザ間で異なる場合がある。例えば「かわいい」という感性語に関し、「６０歳代の男性」と「１０歳代の女性」とでは連想する商品の物理量（色、柄、質感、形等）が大きく異なることが予想される。本実施形態の物理量取得部３９は、変換テーブル取得部３７によって取得された「ユーザ属性データＤ３に応じた変換テーブルＴ」を使用するため、属性の異なるユーザ間の「感性語から連想される商品の物理量」の相違が反映された物理量データＤ４を取得することができる。
【００８５】
なお物理量取得部３９が取得する物理量データＤ４は、単一種類の物理量に関するデータに限定されるものではなく、複数種類の物理量の組み合わせに関するデータであってもよい。例えば物理量取得部３９が取得する物理量データＤ４は「商品の色」に関するデータであってもよいし、「商品の色」及び「商品の柄」の組み合わせに関するデータであってもよい。物理量データＤ４が複数種類の物理量の組み合わせに関するデータである場合、物理量取得部３９は物理量の種類毎に重み付けをして物理量データＤ４を取得してもよい。
【００８６】
なお図１０に示す例では、「ＲＧＢ（赤緑青）データによって規定される色特徴量」、「柄密度及び柄サイズによって規定される柄特徴量」及び「光沢度及び透け度によって規定される質感特徴量」が物理計測空間８２における物理量領域８６を定める基準として用いられているが、これらに限定されない。例えば、全体の幅（細い−太い）、袖の大きさ（短い−長い）、丈の大きさ（短い−長い）、ネックライン（襟ぐり）の幅及び高さ、ネックラインによって規定されユーザの頭部を通過させるための空間の断面積（小さい−大きい）、Ｖネックの角度（小さい−大きい）、Ｕネックの曲率（小さい−大きい）等によって規定される形特徴量等を、物理量領域８６を定める基準として用いてもよい。また感性空間８０における感性領域８４を定める基準も特に限定されず、例えば「ウォーム（Ｗａｒｍ）−クール（Ｃｏｏｌ）」、「フォーマル−カジュアル」等の任意の感性に基づいて感性領域８４を定めることができる。
【００８７】
画像データベース４２（図５参照）は、商品の画像データと商品の物理量（物理量データ）とを関連付けて記憶し、画像検索部４１は、画像データベース４２にアクセスして、物理量取得部３９で取得される「商品の物理量（物理量データＤ４）」に関連付けられている商品の画像データを取得する。
【００８８】
図１１は、画像データベース４２に保存される画像データＩ及びメタデータＭの対応関係を示すデータ構造概念図である。図１２は、メタデータＭの構成データ例を示すデータ構造概念図である。
【００８９】
画像データベース４２に記憶される商品の画像データＩにはその商品の物理量を示すメタデータＭが付加されており、画像データベース４２には、複数の商品の画像データＩがメタデータＭと共に記憶されている。
【００９０】
各商品の画像データＩは該当商品を撮影して取得される。また各商品の画像データＩに関連付けられるメタデータＭに含まれる商品の物理量（物理量データ部６０）は、該当商品の画像データＩを解析することで取得される。
【００９１】
すなわちメタデータＭは商品の特性を表す特性データ部６２を含み、この特性データ部６２には、商品の物理量を表す物理量データ部６０及び商品のその他の特性を表す特性データが含まれる。ここでいう物理量データ部６０は、例えば商品の画像データＩを解析することで求められる色データＭ１、柄データＭ２、質感データＭ３、形データＭ４等が物理量データ部６０に含まれる。色データＭ１は例えばＲＧＢ（赤緑青）データに基づいて特定可能であり、柄データＭ２は例えば柄密度及び柄サイズに基づいて特定可能であり、質感データＭ３は例えば光沢度及び透け度に基づいて特定可能である。また形データＭ４は、例えば全体の幅（細い−太い）、袖の大きさ（短い−長い）、丈の大きさ（短い−長い）、ネックライン（襟ぐり）の幅及び高さ、ネックラインによって規定されユーザの頭部を通過させるための空間の断面積（小さい−大きい）、Ｖネックの角度（小さい−大きい）、Ｕネックの曲率（小さい−大きい）等に基づいて特定可能である。一方、特性データ部６２に含まれる物理量データ部６０以外の特性データは、商品の画像データＩの解析以外の手法によって決定可能であり、例えば商品画像の提供者によって個別に定められる商品の価格データＭ５、商品のサイズデータＭ６等を含む。
【００９２】
本例では画像解析部４５（図５参照）によって物理量データ部６０が求められる。すなわち画像解析部４５には、「物理量データ部６０を含まないメタデータＭ」と「商品を撮影して取得される画像データＩ」とを含む画像情報データＤ７が入力される。画像解析部４５は、この画像情報データＤ７に含まれる画像データＩを解析して取得した物理量データ部６０をメタデータＭに加え、「物理量データ部６０を含むメタデータＭ」と「画像データＩ」とを含む画像情報データＤ７を画像データベース４２に出力して記憶させる。このように画像解析部４５が、商品の画像データＩを解析して商品の物理量（物理量データ部６０）を取得し、取得した商品の物理量（物理量データ部６０）を商品の画像データＩと関連付けて画像データベース４２に記憶する。
【００９３】
画像検索部４１は、画像データベース４２にアクセスして、物理量取得部３９で取得された商品の物理量（物理量データＤ４）に関連付けられている商品の画像データを取得する。すなわち画像検索部４１は、物理量取得部３９で取得された商品の物理量（物理量データＤ４）を示すメタデータＭが付加された商品の画像データＩを、物理量取得部３９で取得された商品の物理量に関連付けられている商品の画像データＩとして取得する。
【００９４】
例えば物理量データＤ４が「商品の色」に関する場合、物理量取得部３９に入力する感性語データＤ２に関連付けられた色（例えば「赤」）を示すメタデータＭが付加された画像データＩ（例えば「色データＭ１」が「赤」を示す画像データＩ）が画像検索部４１によって取得される。また物理量データＤ４が複数種類の物理量の組み合わせに関するデータである場合、物理量データＤ４が示す複数種類の物理量を示すメタデータＭが付加された画像データＩが画像検索部４１によって取得される。例えば物理量データＤ４が「商品の色」及び「商品の柄」に関する場合、物理量取得部３９に入力される感性語データＤ２に関連付けられた色及び柄を示すメタデータＭが付加された画像データＩが画像検索部４１によって取得される。また物理量データＤ４が複数種類の物理量の組み合わせに関するデータであって物理量の種類に応じた重み付けがされたデータである場合、その重み付けに応じて、物理量データＤ４が示す複数種類の物理量を示すメタデータＭが付加された画像データＩが画像検索部４１によって取得される。
【００９５】
画像整列部４３は、画像検索部４１が検索によって取得した商品の画像データＩの表示態様を決定し、決定した表示態様を示す表示情報データＤ６を生成する。すなわち画像整列部４３は、画像検索部４１が取得した商品の画像データＩの表示態様を、商品の特性データに応じて商品の画像データＩが表示されるものとして決定し、決定した表示態様を示す表示情報データＤ６を生成する。
【００９６】
画像整列部４３が生成する表示情報データＤ６は、画像検索部４１が取得した商品の画像データＩの少なくとも一部が、商品の特性データを表す座標系上に表示される表示態様を示す。ここでいう「商品の特性データ」は、商品の特性のうち、ユーザがクライアント端末１１を介して特定した感性語データ（検索ワード）とは異なる特性に基づいて定められている。例えば、商品の価格及び商品のサイズのうち少なくともいずれか一方のデータ（図１２の価格データＭ５及びサイズデータＭ６）に基づいて「商品の特性データ」が定められてもよい。
【００９７】
図１３は、画像検索部４１が取得した商品の画像データＩの表示態様例を示す。図１３（ａ）は横軸が商品の「サイズ（大・小）」を示し、縦軸が商品の「値段」を示す。図１３（ｂ）は横軸が商品の「形（太い・細い）」を示し、縦軸が商品の「値段」を示す。図１３（ｃ）は横軸が商品の「トーン（濃・淡）」を示し、縦軸が商品の「値段」を示す。図１３（ｄ）は横軸が商品の「柄密度（密・疎）」を示し、縦軸が商品の「トーン（濃・淡）」を示す。図１３（ａ）〜（ｄ）の各々に示される座標系６４には複数（図１３では横方向に３枚及び縦方向に３枚の計９枚）の商品画像６６（画像データＩ）が示されている。
【００９８】
このように画像整列部４３（図５参照）は、検索結果データＤ５に含まれる「画像検索部４１が検索によって取得した商品の画像データＩ（商品画像６６）」が座標系６４上に表示される表示態様（図１３（ａ）〜（ｄ）参照）を示す表示情報データＤ６を生成する。なお図１３（ａ）〜（ｄ）には２次元座標系６４上に複数の商品画像６６が表示される例が示されているが、これらに限定されず、表示情報データＤ６は、「１次元的」或いは「３次元等の多次元的」に複数の商品画像６６が表示される表示態様を示してもよい。
【００９９】
サーバ送信部３１は、画像検索部４１によって取得された検索結果データＤ５（商品の画像データＩを含む）と画像整列部４３によって生成された表示情報データＤ６とを、ネットワーク１２を介してクライアント端末１１に送信する。サーバ送信部３１によって送信された検索結果データＤ５及び表示情報データＤ６は、クライアント端末１１の端末受信部２２（図２参照）によって受信される。そして表示制御部２５は、受信した表示情報データＤ６に基づいて「画像検索部４１が検索によって取得した商品の画像データＩ（商品画像６６）」の表示態様を決定して、決定した表示態様に従って表示部２７に商品の画像データＩ（商品画像６６）を表示させる（図１３（ａ）〜（ｄ）参照）。
【０１００】
サーバシステムコントローラ４８は、サーバ外部入出力部３３（サーバ送信部３１、サーバ受信部３２）、ユーザ属性情報取得部３５、変換テーブル取得部３７、物理量取得部３９、画像検索部４１、画像整列部４３及び画像解析部４５を制御して、上述の処理或いは他の処理を各部に実行させ、また図示しないサーバシステム１０の各部も制御する。例えばユーザ認証処理（図３参照）では、サーバシステムコントローラ４８は、クライアント端末１１から送信されるユーザ識別データＤ１を、サーバ受信部３２を介して受信し、ＩＤパスワードデータベース（図示省略）にアクセスし、受信したユーザ識別データＤ１が適正か否かを判定し、判定結果を、サーバ送信部３１を介してクライアント端末１１に送信する。またクライアント端末１１の表示部２７に検索ワードのタグクラウド表示が行われる場合、サーバシステムコントローラ４８は、検索ワードデータベース（図示省略）にアクセスし、ユーザ属性データＤ３等の各種の情報に基づいてタグクラウド表示（図４参照）に使用する複数の感性語データを選択してサーバ送信部３１を介してクライアント端末１１に送信する。
【０１０１】
なお図５に示すサーバシステム１０の機能構成を実現するための具体的な形態は特に限定されず、図５に示すサーバシステム１０の全ての機能構成を単一のサーバによって実現してもよいし、複数のサーバによって実現してもよい。
【０１０２】
図１４は、サーバシステム１０の機能構成例を示すブロック図であり、サーバシステム１０の機能構成が複数のサーバによって実現されるケースを示す図である。
【０１０３】
本例のサーバシステム１０は、ウエブサーバ１５、データベースサーバ１６及び画像解析サーバ１７を含む。ウエブサーバ１５は、上述のサーバシステムコントローラ４８、サーバ外部入出力部３３（サーバ送信部３１、サーバ受信部３２）、ユーザ属性情報取得部３５、変換テーブル取得部３７、物理量取得部３９、画像検索部４１及び画像整列部４３を含む。データベースサーバ１６は、上述のユーザ情報データベース３６、変換テーブルデータベース３８及び画像データベース４２に加え、これらのデータベースをコントロールするデータベースコントローラ７０を含む。画像解析サーバ１７は、上述の画像解析部４５に加え、画像解析部４５をコントロールする画像解析コントローラ７２を含む。
【０１０４】
なおデータベースサーバ１６及び画像解析サーバ１７の各々も、ウエブサーバ１５のサーバ外部入出力部３３（サーバ送信部３１、サーバ受信部３２）と同様のデータ入出力部を有するが図示は省略する。
【０１０５】
ウエブサーバ１５の各部はサーバシステムコントローラ４８によってコントロールされ、データベースサーバ１６の各部はデータベースコントローラ７０によってコントロールされ、画像解析サーバ１７の各部は画像解析コントローラ７２によってコントロールされる。
【０１０６】
例えばユーザ属性情報取得部３５は、ユーザ識別データＤ１からユーザ属性データＤ３を取得する場合、サーバ外部入出力部３３及びデータベースコントローラ７０を介してユーザ情報データベース３６にアクセスして、ユーザ識別データＤ１に関連づけられているユーザ属性データＤ３を取得する。同様に、変換テーブル取得部３７はサーバ外部入出力部３３及びデータベースコントローラ７０を介して変換テーブルデータベース３８にアクセスし、画像検索部４１はサーバ外部入出力部３３及びデータベースコントローラ７０を介して画像データベース４２にアクセスする。
【０１０７】
また画像解析部４５は、画像解析コントローラ７２及びデータベースコントローラ７０を介し、画像解析後の画像情報データＤ７を画像データベース４２に保存する。
【０１０８】
なお複数のサーバによって構成されるサーバシステム１０は、図１４に示す例には限定されない。例えば図１４に示すウエブサーバ１５、データベースサーバ１６及び画像解析サーバ１７のうちのいずれか２つを単一のサーバによって実現してもよい。また図１４に示すデータベースサーバ１６に含まれるデータベース（ユーザ情報データベース３６、変換テーブルデータベース３８及び画像データベース４２）のうちの一部をウエブサーバ１５に設けてもよい。
【０１０９】
またサーバシステム１０及びクライアント端末１１は、ネットワーク１２を介して同一国に設けられてもよいし異なる国に設けられてもよく、サーバシステム１０を複数のサーバによって実現する場合には複数のサーバの一部又は全部が異なる国に設けられてもよい。
【０１１０】
図１５は、サーバシステム１０及びクライアント端末１１が一国内（Ａ国）に存在する場合の検索システム１の一例を示す概念図である。図１６は、サーバシステム１０及びクライアント端末１１が複数国（Ａ国〜Ｄ国）に跨がって存在する場合の検索システム１の一例を示す概念図である。
【０１１１】
図１５及び図１６に示すサーバシステム１０は、ウエブサーバ１５、データベースサーバ１６、画像解析サーバ１７及びメールサーバ１８を含む。ウエブサーバ１５、データベースサーバ１６及び画像解析サーバ１７は、例えば図１４に示すサーバシステム１０と同様の構成とすることができ、メールサーバ１８は、クライアント端末１１との電子メールの送受信を行うサーバである。
【０１１２】
図１６に示す例では、ウエブサーバ１５がＡ国に置かれ、データベースサーバ１６がＢ国に置かれ、メールサーバ１８がＣ国に置かれ、画像解析サーバ１７がＤ国に置かれる。またクライアント端末１１も複数国に存在してもよく、図１６に示すようにＡ国及びＢ国にクライアント端末１１が存在してもよい。
【０１１３】
次に、検索処理の流れについて説明する。
【０１１４】
図１７は、検索処理及び検索結果表示処理のフローチャートである。図１７において「Ｓ（Ｓ１３〜Ｓ１７）」は主としてサーバシステム１０で行われる処理を表し、「Ｃ（Ｓ１１〜Ｓ１２及びＳ１８〜Ｓ１９）」は主としてクライアント端末１１で行われる処理を表す。
【０１１５】
本実施形態の検索システム１において商品検索を行う場合、ユーザは端末入力部２０を介して、ユーザ識別データＤ１及び検索ワードとしての感性語データＤ２を特定する（図１７のＳ１１）。端末入力部２０を介して特定されたユーザ識別データＤ１及び感性語データＤ２は、端末送信部２１及びネットワーク１２を介してサーバシステム１０に送信される（Ｓ１２）。
【０１１６】
クライアント端末１１から送信されるユーザ識別データＤ１及び感性語データＤ２はサーバ受信部３２によって受信され（Ｓ１３）、ユーザ識別データＤ１はユーザ属性情報取得部３５に送られ、感性語データＤ２は物理量取得部３９に送られる。ユーザ属性情報取得部３５によってユーザ識別データＤ１からユーザ属性データＤ３が取得され、変換テーブル取得部３７によってユーザ属性データＤ３から対応の変換テーブルＴが取得され、取得された変換テーブルＴが物理量取得部３９に送られる。そして物理量取得部３９によって、ユーザ識別データＤ１及び変換テーブルＴから物理量データＤ４が取得されて画像検索部４１に送られる（Ｓ１４）。
【０１１７】
そして画像検索部４１によって、画像データベース４２に保存されている画像データＩから、物理量データＤ４に関連付けられた商品の画像データ（検索結果データＤ５）が検索取得され（Ｓ１５）、取得された商品の画像データの表示態様を示す表示情報データＤ６が画像整列部４３によって取得される（Ｓ１６）。取得された検索結果データ（商品の画像データ）Ｄ５及び表示情報データＤ６は、サーバ送信部３１を介してクライアント端末１１に送信される（Ｓ１７）。
【０１１８】
サーバシステム１０から送信される検索結果データＤ５（商品の画像データ）及び表示情報データＤ６は端末受信部２２及び表示制御部２５によって受信され（Ｓ１８）、検索して取得された商品の画像データが、表示情報データＤ６が示す表示態様に従って表示部２７に表示される（Ｓ１９）。
【０１１９】
以上説明したように本実施形態の検索システム１によれば、ユーザの属性に応じた複数の変換テーブルＴが準備及び保存されており、商品検索に実際に使用する変換テーブルＴがユーザの属性に応じて切り換えられる。このようにユーザ毎にユーザの属性（ユーザ属性データＤ３）が取得され、属性に応じて変換テーブルＴを切り換えることで、属性に即した適切な商品検索を行うことができる。
【０１２０】
また商品に対して感性特徴量（感性語データ）が直接的に紐付けられるのではなく、物理量が商品に対して直接的に紐付けられており、感性空間８０及び物理計測空間８２（図１０）を介して感性語と商品とが関連付けられる。したがって、ユーザ属性や時期等に応じて変動しうる感性語を用いた検索であっても、感性空間８０の領域（感性語データ）と物理計測空間８２の領域（物理量データ）との関連づけを調整することで、属性や時期等に適合した「感性語と商品との関連付け」を適切に行うことができる。このように物理計測値と感性語との関係をダイナミックに変更して最適化された変換テーブルＴを用いることによって、精度の高い商品検索を行うことができる。
【０１２１】
また検索によって選定された商品の画像データは、ユーザが指定した感性語とは異なる特性量（例えば価格やサイズ等）を基準とする座標系６４上に表示することで、ユーザは特性量に応じて検索結果を直感的に確認することができ、直ぐに購買決断をすることが可能である。このように本実施形態の検索システム１は、「直感的な感性語による簡便な検索」及び「直感的に認識可能な検索結果画像の表示」を行ってユーザの購買決断を促すことができる。
【０１２２】
このように本実施形態によれば、ユーザの嗜好に応じた複数の商品画像を感性語によって簡便且つ精度良く特定し、その複数の商品画像同士の関係がユーザによって直感的に理解されるように商品画像を表示することができる。
【０１２３】
なお上述の各機能構成は、任意のハードウェア、ソフトウェア、或いは両者の組み合わせによって実現可能である。例えば、上述のサーバシステム１０及びクライアント端末１１の各部における処理方法及び処理全般の制御方法をコンピュータに実行させるプログラム、そのプログラムを記録したコンピュータ読み取り可能な記録媒体（非一時的記録媒体）、或いはそのプログラムをインストール可能なコンピュータに対しても本発明を適用することができる。
【０１２４】
また、本発明のクライアント端末１１は特には限定されず、携帯電話機やスマートフォン、ＰＤＡ（Ｐｅｒｓｏｎａｌ  Ｄｉｇｉｔａｌ  Ａｓｓｉｓｔａｎｔｓ）、携帯型ゲーム機が挙げられる。以下、本発明を適用可能なスマートフォンの一例について説明する。
【０１２５】
＜スマートフォンの構成＞
図１８は、スマートフォン１０１の外観を示す図である。図１８に示すスマートフォン１０１は、平板状の筐体１０２を有し、筐体１０２の一方の面に表示部としての表示パネル１２１と、入力部としての操作パネル１２２とが一体となった表示入力部１２０を備える。また、係る筐体１０２は、スピーカ１３１と、マイクロホン１３２、操作部１４０と、カメラ部１４１とを備える。なお、筐体１０２の構成はこれに限定されず、例えば、表示部と入力部とが独立した構成が採用されてもよいし、折り畳み構造やスライド機構を有する構成が採用されてもよい。
【０１２６】
図１９は、図１８に示すスマートフォン１０１の構成を示すブロック図である。図１９に示すように、スマートフォンの主たる構成要素として、無線通信部１１０と、表示入力部１２０と、通話部１３０と、操作部１４０と、カメラ部１４１と、記憶部１５０と、外部入出力部１６０と、ＧＰＳ（Ｇｌｏｂａｌ  Ｐｏｓｉｔｉｏｎｉｎｇ  Ｓｙｓｔｅｍ）受信部１７０と、モーションセンサ部１８０と、電源部１９０と、主制御部１００とを備える。また、スマートフォン１０１の主たる機能として、基地局装置ＢＳと移動通信網ＮＷとを介した移動無線通信を行う無線通信機能を備える。
【０１２７】
無線通信部１１０は、主制御部１００の指示に従って、移動通信網ＮＷに収容された基地局装置ＢＳに対し無線通信を行うものである。係る無線通信を使用して、音声データ、画像データ等の各種ファイルデータ、電子メールデータなどの送受信や、Ｗｅｂデータやストリーミングデータなどの受信を行う。
【０１２８】
表示入力部１２０は、主制御部１００の制御により、画像（静止画像及び動画像）や文字情報などを表示して視覚的にユーザに情報を伝達し、表示した情報に対するユーザ操作を検出する、いわゆるタッチパネルであって、表示パネル１２１と、操作パネル１２２とを備える。
【０１２９】
表示パネル１２１は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）などを表示デバイスとして用いたものである。操作パネル１２２は、表示パネル１２１の表示面上に表示される画像を視認可能に載置され、ユーザの指や尖筆によって操作される座標を検出するデバイスである。係るデバイスをユーザの指や尖筆によって操作すると、操作に起因して発生する検出信号を主制御部１００に出力する。次いで、主制御部１００は、受信した検出信号に基づいて、表示パネル１２１上の操作位置（座標）を検出する。
【０１３０】
図１８に示すように、本発明の撮像装置の一実施形態として例示しているスマートフォン１０１の表示パネル１２１と操作パネル１２２とは一体となって表示入力部１２０を構成しているが、操作パネル１２２が表示パネル１２１を完全に覆うような配置となっている。係る配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、表示領域と称する）と、それ以外の表示パネル１２１に重ならない外縁部分についての検出領域（以下、非表示領域と称する）とを備えていてもよい。
【０１３１】
なお、表示領域の大きさと表示パネル１２１の大きさとを完全に一致させてもよいが、両者を必ずしも一致させる必要はない。また、操作パネル１２２が、外縁部分と、それ以外の内側部分の２つの感応領域を備えていてもよい。さらに、外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０１３２】
通話部１３０は、スピーカ１３１やマイクロホン１３２を備え、マイクロホン１３２を通じて入力されたユーザの音声を主制御部１００にて処理可能な音声データに変換して主制御部１００に出力し、無線通信部１１０或いは外部入出力部１６０により受信された音声データを復号してスピーカ１３１から出力するものである。また、図１８に示すように、例えば、スピーカ１３１を表示入力部１２０が設けられた面と同じ面に搭載し、マイクロホン１３２を筐体１０２の側面に搭載することができる。
【０１３３】
操作部１４０は、キースイッチなどを用いたハードウェアキーであって、ユーザからの指示を受け付けるものである。例えば、図１８に示すように、操作部１４０は、スマートフォン１０１の筐体１０２の側面に搭載され、指などで押下されるとオンとなり、指を離すとバネなどの復元力によってオフ状態となる押しボタン式のスイッチである。
【０１３４】
記憶部１５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部１５０は、スマートフォン内蔵の内部記憶部１５１と着脱自在な外部メモリスロットを有する外部記憶部１５２により構成される。なお、記憶部１５０を構成するそれぞれの内部記憶部１５１と外部記憶部１５２は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの格納媒体を用いて実現される。
【０１３５】
外部入出力部１６０は、スマートフォン１０１に連結されるすべての外部機器とのインタフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）など）により直接的又は間接的に接続するためのものである。
【０１３６】
スマートフォン１０１に連結される外部機器としては、例えば、有／無線ヘッドセット、有／無線外部充電器、有／無線データポート、カードソケットを介して接続されるメモリカード（Ｍｅｍｏｒｙ  ｃａｒｄ）やＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ  Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、有／無線接続されるパーソナルコンピュータ、イヤホンなどがある。外部入出力部は、このような外部機器から伝送を受けたデータをスマートフォン１０１の内部の各構成要素に伝達することや、スマートフォン１０１の内部のデータが外部機器に伝送されるようにしてもよい。
【０１３７】
ＧＰＳ受信部１７０は、主制御部１００の指示に従って、ＧＰＳ衛星ＳＴ１〜ＳＴｎから送信されるＧＰＳ信号を受信し、受信した複数のＧＰＳ信号に基づく測位演算処理を実行し、スマートフォン１０１の緯度、経度、高度からなる位置を検出する。ＧＰＳ受信部１７０は、無線通信部１１０や外部入出力部１６０（例えば、無線ＬＡＮ）から位置情報を取得できる場合には、その位置情報を用いて位置を検出することもできる。
【０１３８】
モーションセンサ部１８０は、例えば、３軸の加速度センサなどを備え、主制御部１００の指示に従って、スマートフォン１０１の物理的な動きを検出する。スマートフォン１０１の物理的な動きを検出することにより、スマートフォン１０１の動く方向や加速度が検出される。係る検出結果は、主制御部１００に出力されるものである。
【０１３９】
電源部１９０は、主制御部１００の指示に従って、スマートフォン１０１の各部に、バッテリ（図示しない）に蓄えられる電力を供給するものである。
【０１４０】
主制御部１００は、マイクロプロセッサを備え、記憶部１５０が記憶する制御プログラムや制御データに従って動作し、スマートフォン１０１の各部を統括して制御するものである。また、主制御部１００は、無線通信部１１０を通じて、音声通信やデータ通信を行うために、通信系の各部を制御する移動通信制御機能と、アプリケーション処理機能を備える。
【０１４１】
アプリケーション処理機能は、記憶部１５０が記憶するアプリケーションソフトウェアに従って主制御部１００が動作することにより実現するものである。アプリケーション処理機能としては、例えば、外部入出力部１６０を制御して対向機器とデータ通信を行う赤外線通信機能や、電子メールの送受信を行う電子メール機能、Ｗｅｂページを閲覧するＷｅｂブラウジング機能などがある。
【０１４２】
また、主制御部１００は、受信データやダウンロードしたストリーミングデータなどの画像データ（静止画像や動画像のデータ）に基づいて、映像を表示入力部１２０に表示する等の画像処理機能を備える。画像処理機能とは、主制御部１００が、上記画像データを復号し、係る復号結果に画像処理を施して、画像を表示入力部１２０に表示する機能のことをいう。
【０１４３】
さらに、主制御部１００は、表示パネル１２１に対する表示制御と、操作部１４０、操作パネル１２２を通じたユーザ操作を検出する操作検出制御を実行する。
【０１４４】
表示制御の実行により、主制御部１００は、アプリケーションソフトウェアを起動するためのアイコンや、スクロールバーなどのソフトウェアキーを表示し、或いは電子メールを作成するためのウィンドウを表示する。なお、スクロールバーとは、表示パネル１２１の表示領域に収まりきれない大きな画像などについて、画像の表示部分を移動する指示を受け付けるためのソフトウェアキーのことをいう。
【０１４５】
また、操作検出制御の実行により、主制御部１００は、操作部１４０を通じたユーザ操作を検出したり、操作パネル１２２を通じて、上記アイコンに対する操作や、上記ウィンドウの入力欄に対する文字列の入力を受け付けたり、或いは、スクロールバーを通じた表示画像のスクロール要求を受け付ける。
【０１４６】
さらに、操作検出制御の実行により主制御部１００は、操作パネル１２２に対する操作位置が、表示パネル１２１に重なる重畳部分（表示領域）か、それ以外の表示パネル１２１に重ならない外縁部分（非表示領域）かを判定し、操作パネル１２２の感応領域や、ソフトウェアキーの表示位置を制御するタッチパネル制御機能を備える。
【０１４７】
また、主制御部１００は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組み合わせて、複数の位置から少なくとも１つについて軌跡を描く操作を意味する。
【０１４８】
カメラ部１４１は、ＣＭＯＳなどの撮像素子を用いて電子撮影するデジタルカメラである。また、カメラ部１４１は、主制御部１００の制御により、撮像によって得た画像データを例えばＪＰＥＧなどの圧縮した画像データに変換し、記憶部１５０に記録し、外部入出力部１６０や無線通信部１１０を通じて出力することができる。図１８に示すようにスマートフォン１０１において、カメラ部１４１は表示入力部１２０と同じ面に搭載されているが、カメラ部１４１の搭載位置はこれに限らず、表示入力部１２０の背面に搭載されてもよいし、或いは、複数のカメラ部１４１が搭載されてもよい。なお、複数のカメラ部１４１が搭載されている場合には、撮影に供するカメラ部１４１を切り換えて単独にて撮影してもよいし、或いは、複数のカメラ部１４１を同時に使用して撮影してもよい。
【０１４９】
また、カメラ部１４１はスマートフォン１０１の各種機能に利用することができる。例えば、表示パネル１２１にカメラ部１４１で取得した画像を表示することや、操作パネル１２２の操作入力の１つとして、カメラ部１４１の画像を利用することができる。また、ＧＰＳ受信部１７０が位置を検出する際に、カメラ部１４１からの画像を参照して位置を検出することもできる。さらには、カメラ部１４１からの画像を参照して、３軸の加速度センサを用いずに、或いは、３軸の加速度センサと併用して、スマートフォン１０１のカメラ部１４１の光軸方向を判断することや、現在の使用環境を判断することもできる。勿論、カメラ部１４１からの画像をアプリケーションソフトウェア内で利用することもできる。
【０１５０】
その他、静止画又は動画の画像データにＧＰＳ受信部１７０により取得した位置情報、マイクロホン１３２により取得した音声情報（主制御部等により、音声テキスト変換を行ってテキスト情報となっていてもよい）、モーションセンサ部１８０により取得した姿勢情報等などを付加して記憶部１５０に記録し、外部入出力部１６０や無線通信部１１０を通じて出力することもできる。
【０１５１】
例えば、図２に示す端末システムコントローラ２８及び表示制御部２５は図１９に示す主制御部１００によって実現可能であり、端末外部入出力部２３（図２）は無線通信部１１０及び／又は外部入出力部１６０（図１９）によって実現可能である。また端末入力部２０（図２）は操作パネル１２２（表示入力部１２０）（図１９）によって実現可能であり、表示部２７（図２）は表示パネル１２１（表示入力部１２０）（図１９）によって実現可能である。
【符号の説明】
【０１５２】
１…検索システム、１０…サーバシステム、１１…クライアント端末、１２…ネットワーク、１５…ウエブサーバ、１６…データベースサーバ、１７…画像解析サーバ、１８…メールサーバ、２０…端末入力部、２１…端末送信部、２２…端末受信部、２３…端末外部入出力部、２５…表示制御部、２７…表示部、２８…端末システムコントローラ、３１…サーバ送信部、３２…サーバ受信部、３３…サーバ外部入出力部、３５…ユーザ属性情報取得部、３６…ユーザ情報データベース、３７…変換テーブル取得部、３８…変換テーブルデータベース、３９…物理量取得部、４１…画像検索部、４２…画像データベース、４３…画像整列部、４５…画像解析部、４８…サーバシステムコントローラ、５０…ユーザＩＤデータ入力欄、５１…パスワード入力欄、５２…ソフトウエアキーボード、６０…物理量データ部、６２…特性データ部、６４…座標系、６６…商品画像、７０…データベースコントローラ、７２…画像解析コントローラ、８０…感性空間、８２…物理計測空間、８４…感性領域、８６…物理量領域、１００…主制御部、１０１…スマートフォン、１０２…筐体、１１０…無線通信部、１２０…表示入力部、１２１…表示パネル、１２２…操作パネル、１３０…通話部、１３１…スピーカ、１３２…マイクロホン、１４０…操作部、１４１…カメラ部、１５０…記憶部、１５１…内部記憶部、１５２…外部記憶部、１６０…外部入出力部、１７０…ＧＰＳ受信部、１８０…モーションセンサ部、１９０…電源部、Ｔ…変換テーブル、Ｉ…画像データ、Ｍ…メタデータ、Ｄ１…ユーザ識別データ、Ｄ２…感性語データ、Ｄ３…ユーザ属性データ、Ｄ４…物理量データ、Ｄ５…検索結果データ、Ｄ６…表示情報データ、Ｄ７…画像情報データ
【図１８】
2015162195.tif 000003
【図１９】
2015162195.tif 000004
【図１】
2015162195.tif 000005
【図２】
2015162195.tif 000006
【図３】
2015162195.tif 000007
【図４】
2015162195.tif 000008
【図５】
2015162195.tif 000009
【図６】
2015162195.tif 000010
【図７】
2015162195.tif 000011
【図８】
2015162195.tif 000012
【図９】
2015162195.tif 000013
【図１０】
2015162195.tif 000014
【図１１】
2015162195.tif 000015
【図１２】
2015162195.tif 000016
【図１３】
2015162195.tif 000017
【図１４】
2015162195.tif 000018
【図１５】
2015162195.tif 000019
【図１６】
2015162195.tif 000020
【図１７】
2015162195.tif 000021